(57)【特許請求の範囲】
【請求項１】
ＵＥは、ネットワーク側からのフィードバック・情報シーケンス長さを示す指示情報を受信するステップと、
前記ＵＥは、前記指示情報に示すフィードバック・情報シーケンス長さに基づき、フィードバック・情報シーケンスを決めるステップと、
前記ＵＥは、決めた前記フィードバック・情報シーケンスを前記ネットワーク側に送信するステップと、
前記ＵＥは、ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得するステップとを備え、
前記指示情報は、物理ダウンリンク共有チャネル（ＰＤＳＣＨ）をスケジューリングして伝送するためのDCIまたはフィードバック・情報を応答するためのDCIであり、
前記ジョイント・カウンター情報は、前記DCIの受信順番を示し、前記ジョイント・フィードバック集合は、同様なアップリンクサブフレームでフィードバック・情報を伝送するダウンリンクサブフレーム集合であり、
前記ＵＥが、前記指示情報に示すフィードバック・情報シーケンス長さに基づき、フィードバック・情報シーケンスを決めることは、
前記ＵＥは、前記ジョイント・カウンター情報に基づき、ＰＤＳＣＨまたはDCIに対応するフィードバック・情報の、フィードバック・情報シーケンスにおけるビット位置を決め、
前記ＵＥは、前記指示情報に示すフィードバック・情報シーケンス長さに基づき、以及前記ビット位置，フィードバック・情報シーケンスを決めることを特徴とするフィードバック・情報の送信方法。
【請求項２】
前記ＵＥは、前記フィードバック・情報シーケンスを搭載でき、かつ最小容量の物理アップリンク制御チャネル（PUＣＣH）フォーマットを利用し、決めた前記フィードバック・情報シーケンスを、前記ネットワーク側に送信することを特徴とする請求項１に記載のフィードバック・情報の送信方法。
【請求項３】
前記ＵＥが、ネットワーク側からのフィードバック・情報シーケンス長さを示す指示情報を受信する前、前記方法は、
前記ＵＥがネットワーク側からのP個の異なるフィードバック・情報シーケンス長さより構成されたフィードバック・情報シーケンス長さの集合
0006630740.tif 000017
を受信するステップを備え、
ここで、
0006630740.tif 000018
，
0006630740.tif 000019
であり、Pは１より大きい整数であり、Nは、ネットワーク側により前記ＵＥのために設定した、キャリアアグリゲーション用のコンポーネントキャリアの数であり、
0006630740.tif 000020
はコンポーネントキャリア
0006630740.tif 000021
上でアップリンクサブフレーム
0006630740.tif 000022
を用いてフィードバック・情報を伝送するダウンリンクサブフレームの総量であり、
0006630740.tif 000023
はコンポーネントキャリア
0006630740.tif 000024
上のそれぞれのダウンリンクサブフレーム内の伝送可能のＴＢの最大数であり、
前記指示情報が示すフィードバック・情報シーケンス長さは、前記フィードバック・情報シーケンス長さの集合に属することを特徴とする請求項１に記載のフィードバック・情報の送信方法。
【請求項４】
前記ＵＥがジョイント・フィードバック集合により複数のDCIを受信した場合、それぞれのDCIは同様なフィードバック・情報シーケンス長さを示し、前記ジョイント・フィードバック集合は、同様なアップリンクサブフレームでフィードバック・情報を伝送するダウンリンクサブフレーム集合であることを特徴とする請求項１ないし請求項３のいずれか１項に記載のフィードバック・情報の送信方法。
【請求項５】
前記ジョイント・カウンター情報は、周波数領域先時間領域後の順番でカウントして取得したものであることを特徴とする請求項１に記載のフィードバック・情報の送信方法。
【請求項６】
前記ＵＥが前記ジョイント・フィードバック集合において受信したＰＤＳＣＨ数及び/または応答フィードバック・情報を伝送するためのDCIに対応するフィードバック・情報総量がAビットであり、かつAが前記指示情報が示したフィードバック・情報シーケンス長さLより小さければ，前記ＵＥはフィードバック・情報シーケンスにおいてL-A個のビットプレースホルダー情報を設定することを特徴とする請求項１に記載のフィードバック・情報の送信方法。
【請求項７】
ネットワーク側は、ＵＥに示してあげるべきフィードバック・情報シーケンス長さを決めるステップと、
前記ネットワーク側は、前記フィードバック・情報シーケンス長さを示す指示情報を前記ＵＥに送信するステップと、
前記ネットワーク側は、ジョイント・フィードバック集合において、物理ダウンリンク共有チャネル（ＰＤＳＣＨ）をスケジューリングして伝送するためのDCIまたは、フィードバック・情報を応答するためのDCIに前記DCIの送信順番を示すためのジョイント・カウンター情報を設定し、こうして、前記ＵＥに、前記ジョイント・カウンター情報に基づいて、ＰＤＳＣＨまたはDCIに対応するフィードバック・情報の、フィードバック・情報シーケンスにおけるビット位置を決めるようにするステップとを備え、
前記指示情報は、物理ダウンリンク共有チャネル（ＰＤＳＣＨ）をスケジューリングして伝送するためのDCIまたはフィードバック・情報を応答するためのDCIであり、
前記ジョイント・フィードバック集合は、同様なアップリンクサブフレームでフィードバック・情報を伝送するダウンリンクサブフレーム集合であることを特徴とするフィードバック・情報の送信制御方法。
【請求項８】
前記ネットワーク側がフィードバック・情報シーケンス長さを示す指示情報を決める前、前記方法は、前記ネットワーク側は、前記ＵＥにP個の異なるフィードバック・情報シーケンス長さより構成されたフィードバック・情報シーケンス長さの集合
0006630740.tif 000025
を送信するステップを備え、ここで、
0006630740.tif 000026
，
0006630740.tif 000027
であり、Pは１より大きい整数であり、Nは、ネットワーク側により前記ＵＥのために設定した、キャリアアグリゲーション用のコンポーネントキャリアの数であり、
0006630740.tif 000028
はコンポーネントキャリア
0006630740.tif 000029
上でアップリンクサブフレーム
0006630740.tif 000030
を用いてフィードバック・情報を伝送するダウンリンクサブフレームの総量であり、
0006630740.tif 000031
はコンポーネントキャリア
0006630740.tif 000032
上のそれぞれのダウンリンクサブフレーム内の伝送可能のＴＢの最大数であり、
前記ネットワーク側が、ＵＥに示してあげるべきフィードバック・情報シーケンス長さを決めることは、前記ネットワーク側は、前記フィードバック・情報シーケンス長さの集合から、フィードバック・情報シーケンス長さを選出して、前記ＵＥに示してあげるべきフィードバック・情報シーケンス長さとすることを特徴とする請求項７に記載のフィードバック・情報の送信制御方法。
【請求項９】
前記ネットワーク側が、前記フィードバック・情報シーケンス長さを示す指示情報を前記ＵＥに送信することは、
前記ネットワーク側は、ジョイント・フィードバック集合により複数のDCIを前記ＵＥに送信し、それぞれのDCIは同様なフィードバック・情報シーケンス長さを示し、前記ジョイント・フィードバック集合は、同様なアップリンクサブフレームでフィードバック・情報を伝送するダウンリンクサブフレーム集合であることを特徴とする請求項７に記載のフィードバック・情報の送信制御方法。
【請求項１０】
前記ジョイント・カウンター情報は、周波数領域先時間領域後の順番でカウントして取得したものであることを特徴とする請求項７に記載のフィードバック・情報の送信制御方法。
【請求項１１】
前記ネットワーク側が、前記フィードバック・情報シーケンス長さを示す指示情報を前記ＵＥに送信した後、前記方法は、
前記ネットワーク側が、前記ＵＥが応答したフィードバック・情報シーケンスを受信するステップをさらに備え、ここで、前記フィードバック・情報シーケンスは、前記ＵＥが前記フィードバック・情報シーケンスを搭載でき、かつ最小容量の物理アップリンク制御チャネル（PUＣＣH）フォーマットを利用して、前記ネットワーク側に送信したものであることを特徴とする請求項７に記載のフィードバック・情報の送信制御方法。
【請求項１２】
ネットワーク側からのフィードバック・情報シーケンス長さを示す指示情報を受信する受信ユニットと、
前記指示情報が示したフィードバック・情報シーケンス長さに基づき、フィードバック・情報シーケンスを決める決定ユニットと、
決めた前記フィードバック・情報シーケンスを、前記ネットワーク側に送信する送信ユニットとを備え、
前記指示情報は、物理ダウンリンク共有チャネル（ＰＤＳＣＨ）をスケジューリングして伝送するためのDCIまたはフィードバック・情報を応答するためのDCIであり、
前記受信ユニットは、
ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得し、前記ジョイント・カウンター情報は、前記DCIの受信順番を示し、前記ジョイント・フィードバック集合は、同様なアップリンクサブフレームでフィードバック・情報を伝送するダウンリンクサブフレーム集合であり、
前記決定ユニットは、
前記ジョイント・カウンター情報に基づき、ＰＤＳＣＨまたはDCIに対応するフィードバック・情報の、フィードバック・情報シーケンスにおけるビット位置を決め、
前記指示情報が示したフィードバック・情報シーケンス長さ及び前記ビット位置に基づき、フィードバック・情報シーケンスを決めることを特徴とするフィードバック・情報の送信装置。
【請求項１３】
前記送信ユニットは、前記フィードバック・情報シーケンスを搭載でき、かつ最小容量の物理アップリンク制御チャネル（PUＣＣH）フォーマットを利用し、決めた前記フィードバック・情報シーケンスを、前記ネットワーク側に送信することを特徴とする請求項１２に記載のフィードバック・情報の送信装置。
【請求項１４】
前記受信ユニットは、前記送信装置が、ネットワーク側からのフィードバック・情報シーケンス長さを示す指示情報を受信する前、
ネットワーク側からのP個の異なるフィードバック・情報シーケンス長さより構成されたフィードバック・情報シーケンス長さの集合
0006630740.tif 000033
を受信し、ここで、
0006630740.tif 000034
，
0006630740.tif 000035
であり、Pは１より大きい整数であり、Nは、ネットワーク側により前記送信装置のために設定した、キャリアアグリゲーション用のコンポーネントキャリアの数であり、
0006630740.tif 000036
はコンポーネントキャリア
0006630740.tif 000037
上でアップリンクサブフレーム
0006630740.tif 000038
を用いてフィードバック・情報を伝送するダウンリンクサブフレームの総量であり、
0006630740.tif 000039
はコンポーネントキャリア
0006630740.tif 000040
上のそれぞれのダウンリンクサブフレーム内の伝送可能のＴＢの最大数であり、
前記指示情報が示すフィードバック・情報シーケンス長さは、前記フィードバック・情報シーケンス長さの集合に属することを特徴とする請求項１２に記載のフィードバック・情報の送信装置。
【請求項１５】
前記受信ユニットがジョイント・フィードバック集合により複数のDCIを受信した場合、それぞれのDCIは同様なフィードバック・情報シーケンス長さを示し、前記ジョイント・フィードバック集合は、同様なアップリンクサブフレームでフィードバック・情報を伝送するダウンリンクサブフレーム集合であることを特徴とする請求項１２ないし請求項１４のいずれか１項に記載のフィードバック・情報の送信装置。
【請求項１６】
前記決定ユニットは、
前記受信ユニットが前記ジョイント・フィードバック集合において受信したＰＤＳＣＨ数及び/または応答フィードバック・情報を伝送するためのDCIに対応するフィードバック・情報総量がAビットであり、かつAが前記指示情報が示したフィードバック・情報シーケンス長さLより小さければ、フィードバック・情報シーケンスにおいてL-A個のビットプレースホルダー情報を設定することを特徴とする請求項１２に記載のフィードバック・情報の送信装置。
【請求項１７】
前記ジョイント・カウンター情報は、周波数領域先時間領域後の順番でカウントして取得したものであることを特徴とする請求項１２に記載のフィードバック・情報の送信装置。
【請求項１８】
ＵＥに示してあげるべきフィードバック・情報シーケンス長さを決める決定ユニットと、
前記フィードバック・情報シーケンス長さを示す指示情報を前記ＵＥに送信する伝送ユニットとを備え、
前記指示情報は、物理ダウンリンク共有チャネル（ＰＤＳＣＨ）をスケジューリングして伝送するためのDCIまたはフィードバック・情報を応答するためのDCIであり、
前記伝送ユニットは、ジョイント・フィードバック集合において、物理ダウンリンク共有チャネル（ＰＤＳＣＨ）をスケジューリングして伝送するためのDCIまたは、フィードバック・情報を応答するためのDCIにジョイント・カウンター情報を設定し、前記ジョイント・カウンター情報は、前記DCIの送信順番を示し、こうして、前記ＵＥは、前記ジョイント・カウンター情報に基づいて、ＰＤＳＣＨまたはDCIに対応するフィードバック・情報の、フィードバック・情報シーケンスにおけるビット位置を決め、前記ジョイント・フィードバック集合は、同様なアップリンクサブフレームでフィードバック・情報を伝送するダウンリンクサブフレーム集合であることを特徴とするフィードバック・情報の送信制御装置。
【請求項１９】
フィードバック・情報シーケンスを決める長さを示す指示情報の前、前記伝送ユニットは、前記ＵＥに P個の異なるフィードバック・情報シーケンス長さより構成されたフィードバック・情報シーケンス長さの集合
0006630740.tif 000041
を送信し、
ここで、
0006630740.tif 000042
，
0006630740.tif 000043
であり、Pは１より大きい整数であり、Nは、ネットワーク側により前記ＵＥのために設定した、キャリアアグリゲーション用のコンポーネントキャリアの数であり、
0006630740.tif 000044
はコンポーネントキャリア
0006630740.tif 000045
上でアップリンクサブフレーム
0006630740.tif 000046
を用いてフィードバック・情報を伝送するダウンリンクサブフレームの総量であり、
0006630740.tif 000047
はコンポーネントキャリア
0006630740.tif 000048
上のそれぞれのダウンリンクサブフレーム内の伝送可能のＴＢの最大数であり、
前記決定ユニットは、前記フィードバック・情報シーケンス長さの集合から１つのフィードバック・情報シーケンス長さを選出して、前記ＵＥに示してあげるべきフィードバック・情報シーケンス長さとすることを特徴とする請求項１８に記載のフィードバック・情報の送信制御装置。
【請求項２０】
前記伝送ユニットは、
ジョイント・フィードバック集合により複数のDCIを前記ＵＥに送信し、それぞれのDCIは同様なフィードバック・情報シーケンス長さを示し、前記ジョイント・フィードバック集合は、同様なアップリンクサブフレームでフィードバック・情報を伝送するダウンリンクサブフレーム集合であることを特徴とする請求項１８に記載のフィードバック・情報の送信制御装置。
【請求項２１】
前記ジョイント・カウンター情報は、周波数領域先時間領域後の順番でカウントして取得したものである。ことを特徴とする請求項１８に記載のフィードバック・情報の送信制御装置。
【請求項２２】
前記伝送ユニットは、前記フィードバック・情報シーケンス長さを示す指示情報を前記ＵＥに送信た後、
前記ＵＥが応答したフィードバック・情報シーケンスを受信し、前記フィードバック・情報シーケンスは、前記ＵＥが前記フィードバック・情報シーケンスを搭載でき、かつ最小容量の物理アップリンク制御チャネル（PUＣＣH）フォーマットを利用して、前記伝送ユニットに送信したものであることを特徴とする請求項１８に記載のフィードバック・情報の送信制御装置。
【発明の詳細な説明】
【技術分野】
【０００１】
本発明は通信技術分野に関し、特に、フィードバック・情報の送信及びその制御方法及び装置に関する。
【背景技術】
【０００２】
ＬＴＥ（Ｌｏｎｇ Ｔｅｒｍ Ｅｖｏｌｕｔｉｏｎ） リリース１０（Ｒｅｌ-１０）のキャリアアグリゲーション技術は、最大５つのキャリアのアグリゲーションを支援する。基地局は、各々のUE（User Equipment）によりアグリゲーションされたコンポーネントキャリアを半静的に設定する。設定されたコンポーネントキャリアは、活性キャリア及び非活性キャリアにさらに区分され、基地局は、活性キャリアのみにおいてスケジューリングしたデータを伝送する。基地局は、ＭＡＣ ＣＥ（Ｍｅｄｉａ Ａｃｃｅｓｓ Ｃｏｎｔｒｏｌ Ｃｏｎｔｒｏｌ Ｅｌｅｍｅｎｔ）を介して設定したキャリアを活性化、失活する。ＵＥ（Ｕｓｅｒ Ｅｑｕｉｐｍｅｎｔ）は、活性キャリアの数によりＡＣＫ（Ａｃｋｎｏｗｌｅｄｇｅｍｅｎｔ）/ＮＡＣＫ（Non-Acknowledgement）のフィードバック・情報の総量を確認する。しかし、キャリア活性、非活性の間、基地局とＵＥがＡＣＫ/ＮＡＣＫフィードバック・情報の総量に対する認識は一致できない可能性があるため、ＡＣＫ/ＮＡＣＫフィードバック・情報を正確に受信できなくなってしまう。よって、ＬＴＥ Ｒｅｌ-１０において、ＵＥはいつも設定されたコンポーネントキャリア数に基づいてフィードバック・情報シーケンス長さを決める。図１に示すように、基地局は、ＵＥに３つのコンポーネントキャリアＤＬ ＣＣ１、ＤＬ ＣＣ２及びＤＬ ＣＣ３を設定してあげ、そのうちの２つのキャリアＤＬ ＣＣ１及びＤＬ ＣＣ２を活性化し、あるサブフレームにおいて、１つのキャリアＤＬ ＣＣ１をスケジューリングして、データを伝送する。もし、ＭＩＭＯ（Ｍｕｌｔｉｐｌｅ Ｉｎｐｕｔ Ｍｕｌｔｉｐｌｅ Ｏｕｔｐｕｔ）伝送モードに設定すれば、それぞれのＰＤＳＣＨ（Ｐｈｙｓｉｃａｌ Ｄｏｗｎｌｉｎｋ Ｓｈａｒｅｄ ＣｈａｎｎｅＰＤＳＣＨ）において最大２つのＴＢ（Ｔｒａｎｓｐｏｒｔ ＢｌｏｃｋＴＢ）を伝送でき、こうして、ＵＥから基地局へ送信するＡＣＫ/ＮＡＣＫフィードバック・情報シーケンス長さは６であり、ここで、活性化されたがスケジューリングされていないキャリアＤＬ ＣＣ２及び非活性キャリアＤＬ ＣＣ３に対応するフィードバック・情報を、ＮＡＣＫとして設定する。
【０００３】
ＬＴＥ リリース１３（Ｒｅｌ-１３）のキャリアアグリゲーション技術は、最大３２個のキャリアのアグリゲーションを支援する。アグリゲーションするキャリア数の増加に従い、ＵＥから送信するＡＣＫ/ＮＡＣＫフィードバック・情報の数も著しく増加する。依然に、設定されたキャリア数によりフィードバック・情報シーケンス長さを決めれば、基地局からＵＥのために大量のコンポーネントキャリアを設定したが、実の活性化されたコンポーネントキャリア数が少ないかまたは実際にスケジューリングされたコンポーネントキャリアが少ない場合、ＡＣＫ/ＮＡＣＫフィードバック・情報シーケンスには、大量な冗長な情報が含まれるようになってしまう。ＵＥが大量のＡＣＫ/ＮＡＣＫフィードバック・情報を伝送するのに、必ず大きいな送信電力、多くの物理リソースが利用されてしまう。これは、ＡＣＫ/ＮＡＣＫフィードバック・情報の伝送性能に影響を与えるほか、システム全体のリソース利用率にも影響を与える。
【０００４】
よって、従来のキャリアアグリゲーションシステムには、ＡＣＫ/ＮＡＣＫフィードバック・情報シーケンス長さは設定されたコンポーネントキャリア数により決められ、システムが最大３２個のキャリアアグリゲーションを支援する場合、従来の方法によりフィードバック・情報シーケンスに大量の冗長な情報があるようになり、利用する送信電力及び物理リソースが大きくなり、伝送性能に影響を与え、リソースの利用率を低下することになってします。
【発明の概要】
【発明が解決しようとする課題】
【０００５】
本発明に係る実施例はフィードバック・情報の送信及びその制御方法及び装置を提供して、フィードバック・情報シーケンスにおける冗長な情報を減らし、フィードバック・情報に占有される送信電力を低減し、占有する物理リソースを節約し、フィードバック・情報の伝送性能及びシステム全体のリソース利用率を向上する。
【課題を解決するための手段】
【０００６】
本発明に係る実施例が提供するフィードバック・情報の送信方法は、
ＵＥは、ネットワーク側からのフィードバック・情報シーケンス長さを示す指示情報を受信するステップと、
前記ＵＥは、前記指示情報に示すフィードバック・情報シーケンス長さに基づき、フィードバック・情報シーケンスを決めるステップと、
前記ＵＥは、決めた前記フィードバック・情報シーケンスを前記ネットワーク側に送信するステップとを備える。
【０００７】
本発明に係る実施例によれば、ＵＥは、ネットワーク側からのフィードバック・情報シーケンス長さを示す指示情報により示したフィードバック・情報シーケンス長さに基づき、フィードバック・情報シーケンスを決め、そして決めた前記フィードバック・情報シーケンスを前記ネットワーク側に送信し、こうして、従来技術の、設定したコンポーネントキャリア数によりフィードバック・情報シーケンス長さを決めるため、フィードバック・情報シーケンスにおける冗長な情報が大量となる問題点を防ぐことができる。なので、本発明に係る実施例の方法は、フィードバック・情報シーケンスにおける冗長な情報を減らし、フィードバック・情報に占有される送信電力を低減し、占有すべき物理リソースを節約し、フィードバック・情報的伝送性能及びシステム全体のリソース利用率を向上することができる。
【０００８】
好ましくは、前記ＵＥは、前記フィードバック・情報シーケンスを搭載でき、かつ最小容量の物理アップリンク制御チャネル（PUＣＣH）フォーマットを利用し、決めた前記フィードバック・情報シーケンスを、前記ネットワーク側に送信する。こうして、復調性能を向上し、同時にアクセスできるユーザー数をさらに増大できる。
【０００９】
0006630740.tif 000002
【００１０】
好ましくは、前記指示情報は、ダウンリンク制御情報（DCI）である。
【００１１】
好ましくは、前記ＵＥがジョイント・フィードバック集合により複数のDCIを受信した場合、それぞれのDCIは同様なフィードバック・情報シーケンス長さを示し、前記ジョイント・フィードバック集合は、同様なアップリンクサブフレームでフィードバック・情報を伝送するダウンリンクサブフレーム集合である。
【００１２】
好ましくは、当該方法は、前記ＵＥは、前記ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得するステップを備え、前記ジョイント・カウンター情報は、前記DCIの受信順番を示し、
前記ＵＥが、前記指示情報に示すフィードバック・情報シーケンス長さに基づき、フィードバック・情報シーケンスを決めることは、
前記ＵＥは、前記ジョイント・カウンター情報に基づき、ＰＤＳＣＨまたはDCIに対応するフィードバック・情報の、フィードバック・情報シーケンスにおけるビット位置を決め、 
前記ＵＥは、前記指示情報に示すフィードバック・情報シーケンス長さに基づき、以及前記ビット位置，フィードバック・情報シーケンスを決める。
【００１３】
本発明に係る実施例が提供するフィードバック・情報の送信制御方法は、
ネットワーク側は、ＵＥに示してあげるべきフィードバック・情報シーケンス長さを決めるステップと、
前記ネットワーク側は、前記フィードバック・情報シーケンス長さを示す指示情報を前記ＵＥに送信する。
【００１４】
0006630740.tif 000003
【００１５】
好ましくは、前記指示情報は、ダウンリンク制御情報（DCI）である。
【００１６】
好ましくは、前記ネットワーク側が、前記フィードバック・情報シーケンス長さを示す指示情報を前記ＵＥに送信することは、
前記ネットワーク側は、ジョイント・フィードバック集合により複数のDCIを前記ＵＥに送信し、それぞれのDCIは同様なフィードバック・情報シーケンス長さを示し、ここで、前記ジョイント・フィードバック集合は、同様なアップリンクサブフレームでフィードバック・情報を伝送するダウンリンクサブフレーム集合である。
【００１７】
好ましくは、当該方法は、
前記ネットワーク側は、前記ジョイント・フィードバック集合において、物理ダウンリンク共有チャネル（ＰＤＳＣＨ）をスケジューリングして伝送するためのDCIまたは、フィードバック・情報を応答するためのDCIにジョイント・カウンター情報を設定し、前記ジョイント・カウンター情報は、前記DCIの送信順番を示し、こうして、前記ＵＥは、前記ジョイント・カウンター情報に基づいて、ＰＤＳＣＨまたはDCIに対応するフィードバック・情報の、フィードバック・情報シーケンスにおけるビット位置を決める。
【００１８】
好ましくは、前記ネットワーク側が、前記フィードバック・情報シーケンス長さを示す指示情報を前記ＵＥに送信した後、当該方法は、
前記ネットワーク側は、前記ＵＥが応答したフィードバック・情報シーケンスを受信し、当該フィードバック・情報シーケンスは、前記ＵＥが前記フィードバック・情報シーケンスを搭載でき、かつ最小容量の物理アップリンク制御チャネル（PUＣＣH）フォーマットを利用して、前記ネットワーク側に送信したものである。
【００１９】
本発明に係る実施例が提供するフィードバック・情報の送信装置は、
ネットワーク側からのフィードバック・情報シーケンス長さを示す指示情報を受信する受信ユニットと、
前記指示情報が示したフィードバック・情報シーケンス長さに基づき、フィードバック・情報シーケンスを決める決定ユニットと、
決めた前記フィードバック・情報シーケンスを、前記ネットワーク側に送信する送信ユニットとを備える。
【００２０】
好ましくは、前記送信ユニットは、前記フィードバック・情報シーケンスを搭載でき、かつ最小容量の物理アップリンク制御チャネル（PUＣＣH）フォーマットを利用し、決めた前記フィードバック・情報シーケンスを、前記ネットワーク側に送信する。
【００２１】
0006630740.tif 000004
【００２２】
好ましくは、前記指示情報は、ダウンリンク制御情報（DCI）である。
【００２３】
好ましくは、前記受信ユニットがジョイント・フィードバック集合により複数のDCIを受信した場合、それぞれのDCIは同様なフィードバック・情報シーケンス長さを示し、前記ジョイント・フィードバック集合は、同様なアップリンクサブフレームでフィードバック・情報を伝送するダウンリンクサブフレーム集合である。
【００２４】
好ましくは、前記受信ユニットは、
前記ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得し、前記ジョイント・カウンター情報は、前記DCIの受信順番を示し、
前記決定ユニットは、
前記ジョイント・カウンター情報に基づき、ＰＤＳＣＨまたはDCIに対応するフィードバック・情報の、フィードバック・情報シーケンスにおけるビット位置を決め、
前記指示情報が示したフィードバック・情報シーケンス長さ及び前記ビット位置に基づき、フィードバック・情報シーケンスを決める。
【００２５】
本発明に係る実施例が提供するフィードバック・情報の送信制御装置は、
ＵＥに示してあげるべきフィードバック・情報シーケンス長さを決める決定ユニットと、
前記フィードバック・情報シーケンス長さを示す指示情報を前記ＵＥに送信する伝送ユニットとを備える。
【００２６】
0006630740.tif 000005
【００２７】
好ましくは、前記指示情報は、ダウンリンク制御情報（DCI）である。
【００２８】
好ましくは、前記伝送ユニットは、
ジョイント・フィードバック集合により複数のDCIを前記ＵＥに送信し、それぞれのDCIは同様なフィードバック・情報シーケンス長さを示し、ここで、前記ジョイント・フィードバック集合は、同様なアップリンクサブフレームでフィードバック・情報を伝送するダウンリンクサブフレーム集合である。
【００２９】
好ましくは、前記伝送ユニットは、前記ジョイント・フィードバック集合において、物理ダウンリンク共有チャネル（ＰＤＳＣＨ）をスケジューリングして伝送するためのDCIまたは、フィードバック・情報を応答するためのDCIにジョイント・カウンター情報を設定し、前記ジョイント・カウンター情報は、前記DCIの送信順番を示し、こうして、前記ＵＥは、前記ジョイント・カウンター情報に基づいて、ＰＤＳＣＨまたはDCIに対応するフィードバック・情報の、フィードバック・情報シーケンスにおけるビット位置を決める。
【００３０】
好ましくは、前記伝送ユニットは、前記フィードバック・情報シーケンス長さを示す指示情報を前記ＵＥに送信た後、前記ＵＥが応答したフィードバック・情報シーケンスを受信し、前記フィードバック・情報シーケンスは、前記ＵＥが前記フィードバック・情報シーケンスを搭載でき、かつ最小容量の物理アップリンク制御チャネル（PUＣＣH）フォーマットを利用して、前記伝送ユニットに送信したものである。
【図面の簡単な説明】
【００３１】
【図１】は従来技術中LTE Rel-１０ ＡＣＫ/ＮＡＣＫフィードバック・情報生成方法の原理図である。
【図２】は本発明に係る実施例が提供する第１のフィードバック・情報の送信方法的フローチャートである。
【図３】は本発明に係る実施例が提供する第１のフィードバック・情報の送信制御方法的フローチャートである。
【図４】は本発明に係る実施例が提供する第１のフィードバック・情報シーケンスの生成方法の原理図である。
【図５】は本発明に係る実施例が提供する第１のフィードバック・情報の送信装置の構造図である。
【図６】は本発明に係る実施例が提供する第１のフィードバック・情報の送信制御装置の構造図である。
【図７】は本発明に係る実施例が提供する第２のフィードバック・情報の送信装置の構造図である。
【図８】は本発明に係る実施例が提供する第２のフィードバック・情報の送信制御装置の構造図である。
【発明を実施するための形態】
【００３２】
本発明に係る実施例は、フィードバック・情報の送信及びその制御方法及び装置を提供し、フィードバック・情報シーケンス中の冗長な情報を減らし、フィードバック・情報に占有される送信電力を低減し、占有すべき物理リソースを節約し、フィードバック・情報的伝送性能及びシステム全体のリソース利用率を向上することができる。
ＵＥ側において、図２に示すように、本発明に係る実施例が提供するフィードバック・情報の送信方法は、以下のステップを備える。
S１０１、ＵＥは、ネットワーク側からのフィードバック・情報シーケンス長さを示す指示情報を受信する。
S１０２、前記ＵＥは、前記指示情報に示すフィードバック・情報シーケンス長さに基づき、フィードバック・情報シーケンスを決める。
S１０３、前記ＵＥは、決めた前記フィードバック・情報シーケンスを前記ネットワーク側に送信する。
【００３３】
本発明に係る実施例における前記フィードバック・情報は、ＡＣＫ/ＮＡＣＫフィードバック・情報であってもよく、他のタイプのフィードバック・情報であってもよい。
【００３４】
本発明に係る実施例中，ＵＥは、ネットワーク側からのフィードバック・情報シーケンス長さを示す指示情報により示したフィードバック・情報シーケンス長さに基づき、フィードバック・情報シーケンスを決め、そして決めた前記フィードバック・情報シーケンスを前記ネットワーク側に送信し、こうして、従来技術の、設定したコンポーネントキャリア数によりフィードバック・情報シーケンス長さを決めるため、フィードバック・情報シーケンスにおける冗長な情報が大量となる問題点を防ぐことができ、なので、本発明に係る実施例の方法は、フィードバック・情報シーケンスにおける冗長な情報を減らし、フィードバック・情報に占有される送信電力を低減し、占有すべき物理リソースを節約し、フィードバック・情報的伝送性能及びシステム全体のリソース利用率を向上することができる。
【００３５】
0006630740.tif 000006
【００３６】
本発明に係る実施例において、前記ネットワーク側の動作を執行する主体は、基地局などのネットワーク側装置であってもよい。
【００３７】
好ましくは、前記指示情報はダウンリンク制御情報（Downlink Control Information，DCI）である。
【００３８】
0006630740.tif 000007
【００３９】
0006630740.tif 000008
【００４０】
0006630740.tif 000009
【００４１】
0006630740.tif 000010
【００４２】
好ましくは、前記ＵＥがジョイント・フィードバック集合により複数のDCIを受信した場合、それぞれのDCIは同様なフィードバック・情報シーケンス長さを示す。ここで、前記ジョイント・フィードバック集合は、同様なアップリンクサブフレームでフィードバック・情報を伝送するダウンリンクサブフレーム集合である。前記ＵＥがジョイント・フィードバック集合により複数のDCIを受信した場合、前記ＵＥは、決めた前記フィードバック・情報シーケンスを前記ネットワーク側に送信する。これは、具体的に、前記ＵＥは、前記複数のコンポーネントキャリア上で、同様なアップリンクサブフレームを利用して、決めた前記フィードバック・情報シーケンスを、前記ネットワーク側に送信する。
【００４３】
好ましくは、当該方法においては、前記ＵＥは、前記ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得する。前記ジョイント・カウンター情報は、前記DCIの受信順番を示す。
【００４４】
前記ＵＥが、前記指示情報に示すフィードバック・情報シーケンス長さに基づき、フィードバック・情報シーケンスを決めることは、
前記ＵＥは、前記ジョイント・カウンター情報に基づき、ＰＤＳＣＨまたはDCIに対応するフィードバック・情報の、フィードバック・情報シーケンスにおけるビット位置を決め、 
前記ＵＥは、前記指示情報に示すフィードバック・情報シーケンス長さに基づき、以及前記ビット位置，フィードバック・情報シーケンスを決める。
【００４５】
例えば、ＰＤＳＣＨを何番目のＰＤＳＣＨとして設定する下がことにより、当該ＰDSCHに対応するＡＣＫ/ＮＡＣＫフィードバック・情報の、フィードバック・情報シーケンスにおける位置を判断する。例えば、第１のＰＤＳＣＨに対応するＡＣＫ/ＮＡＣＫフィードバック・情報の、フィードバック・情報シーケンスにおける位置も第１である。
【００４６】
これに応じて、図３に示すように、ネットワーク側において、本発明に係る実施例が提供するフィードバック・情報の送信制御方法は、以下のステップを備える。
S２０１、ネットワーク側は、ＵＥに示してあげるべきフィードバック・情報シーケンス長さを決める。
S２０２、前記ネットワーク側は、前記フィードバック・情報シーケンス長さを示す指示情報を前記ＵＥに送信する。
【００４７】
0006630740.tif 000011
【００４８】
前記ネットワーク側が、ＵＥに示してあげるべきフィードバック・情報シーケンス長さを決めることは、前記ネットワーク側は、前記フィードバック・情報シーケンス長さの集合から、フィードバック・情報シーケンス長さを選出して、前記ＵＥに示してあげるべきフィードバック・情報シーケンス長さとする。
【００４９】
好ましくは、前記指示情報は、ダウンリンク制御情報（DCI）である。
【００５０】
好ましくは、前記ネットワーク側が、前記フィードバック・情報シーケンス長さを示す指示情報を前記ＵＥに送信することは、前記ネットワーク側は、ジョイント・フィードバック集合により複数のDCIを前記ＵＥに送信し、それぞれのDCIは同様なフィードバック・情報シーケンス長さを示す。ここで、前記ジョイント・フィードバック集合は、同様なアップリンクサブフレームでフィードバック・情報を伝送するダウンリンクサブフレーム集合である。
【００５１】
好ましくは、当該方法において、前記ネットワーク側は、前記ジョイント・フィードバック集合において、物理ダウンリンク共有チャネル（ＰＤＳＣＨ）をスケジューリングして伝送するためのDCIまたは、フィードバック・情報を応答するためのDCIにジョイント・カウンター情報を設定し、前記ジョイント・カウンター情報は、前記DCIの送信順番を示し、こうして、前記ＵＥは、前記ジョイント・カウンター情報に基づいて、ＰＤＳＣＨまたはDCIに対応するフィードバック・情報の、フィードバック・情報シーケンスにおけるビット位置を決める。
【００５２】
好ましくは、前記ネットワーク側が、前記フィードバック・情報シーケンス長さを示す指示情報を前記ＵＥに送信した後、当該方法において、
前記ネットワーク側は、前記ＵＥが応答したフィードバック・情報シーケンスを受信し、当該フィードバック・情報シーケンスは、前記ＵＥが前記フィードバック・情報シーケンスを搭載でき、かつ最小容量の物理アップリンク制御チャネル（PUＣＣH）フォーマットを利用して、前記ネットワーク側に送信したものである。
【００５３】
以下、具体的な実施例の例を挙げながら説明する。
図４に示すように、TDD（Ｔｉｍｅ Ｄｉｖｉｓｉｏｎ Ｄｕｐｌｅｘ）システムにおいて、ＵＥのために設定したキャリアアグリゲーションに含まれるコンポーネントキャリア数が３であれば、それぞれキャリア１、キャリア２及びキャリア３とする。また、３つのコンポーネントキャリアは、同様なTDDＵＬ/ＤＬ構成を採用し、活性コンポーネントキャリア数は２であり、それぞれは、キャリア１、キャリア２とし、Unicode文字伝送モードを採用する。ダウンリンクサブフレームa、b、c、dに対応するＡＣＫ/ＮＡＣＫフィードバック・情報は、同様なアップリンクサブフレームnにて伝送する。
【００５４】
基地局により半静的設定したフィードバック・情報シーケンス長さの集合は{２,５,８,１２}である。基地局は、DCIにより、そのうちの１つを示す。例えば、フィードバック・情報シーケンス長さが５であると示し、即ち、基地局が現在ジョイント・フィードバック集合において、最大５つのＰＤＳＣＨをスケジューリングして伝送することができる。しかし、実に、基地局が、現在ジョイント・フィードバック集合において４つのＰＤＳＣＨをスケジューリングして伝送すれば、ＵＥは、アップリンクサブフレームnにおいて、基地局に５ビットのＡＣＫ/ＮＡＣＫフィードバック・情報をフィードバックする。
【００５５】
0006630740.tif 000012
【００５６】
よって、従来技術に従う場合、当該実施例に対応するスケジューリングについて、ＵＥは、基地局に１２ビット（即ち３つのキャリアかける４つのダウンリンクサブフレーム）のＡＣＫ/ＮＡＣＫフィードバック・情報をフィードバックすべきであり、そのうち４ビットのみが有効情報であり、他の情報は冗長なプレースホルダー情報である。アグリゲーションキャリア数がさらに増大する場合、冗長な情報の数は非常に大きくなる。これらに対し、本発明に係る実施例が提供する技術案によれば、取得したフィードバック・情報シーケンスにはただ１ビットの冗長なプレースホルダー情報が含まれるため、フィードバック・情報シーケンスにおける冗長な情報数を著しく低減することができる。
【００５７】
上述の方法と対応するように、本発明に係る実施例は以下の装置を提供する。
図５にしめすように、ＵＥ側において、本発明に係る実施例が提供するフィードバック・情報の送信装置は、
ネットワーク側からのフィードバック・情報シーケンス長さを示す指示情報を受信する受信ユニット１１と、
前記指示情報が示したフィードバック・情報シーケンス長さに基づき、フィードバック・情報シーケンスを決める決定ユニット１２と、
決めた前記フィードバック・情報シーケンスを、前記ネットワーク側に送信する送信ユニット１３とを備える。
【００５８】
好ましくは、前記送信ユニットは、前記フィードバック・情報シーケンスを搭載でき、かつ最小容量の物理アップリンク制御チャネル（PUＣＣH）フォーマットを利用し、決めた前記フィードバック・情報シーケンスを、前記ネットワーク側に送信する。
【００５９】
0006630740.tif 000013
【００６０】
好ましくは、前記指示情報は、ダウンリンク制御情報（DCI）である。
【００６１】
好ましくは、前記受信ユニットがジョイント・フィードバック集合により複数のDCIを受信した場合、それぞれのDCIは同様なフィードバック・情報シーケンス長さを示し、ここで、前記ジョイント・フィードバック集合は、同様なアップリンクサブフレームでフィードバック・情報を伝送するダウンリンクサブフレーム集合である。
【００６２】
好ましくは、前記受信ユニットは、前記ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得し、前記ジョイント・カウンター情報は、前記DCIの受信順番を示す；
前記決定ユニットは、前記ジョイント・カウンター情報に基づき、ＰＤＳＣＨまたはDCIに対応するフィードバック・情報の、フィードバック・情報シーケンスにおけるビット位置を決め、前記指示情報が示したフィードバック・情報シーケンス長さ及び前記ビット位置に基づき、フィードバック・情報シーケンスを決める。
【００６３】
図６に示すように、ネットワーク側において、本発明に係る実施例が提供するフィードバック・情報の送信制御装置は、
ＵＥに示してあげるべきフィードバック・情報シーケンス長さを決める決定ユニット２１と、
前記フィードバック・情報シーケンス長さを示す指示情報を前記ＵＥに送信する伝送ユニット２２とを備える。
【００６４】
0006630740.tif 000014
【００６５】
好ましくは、前記指示情報は、ダウンリンク制御情報（DCI）である。
【００６６】
好ましくは、前記伝送ユニットは、ジョイント・フィードバック集合により複数のDCIを前記ＵＥに送信し、それぞれのDCIは同様なフィードバック・情報シーケンス長さを示し、ここで、前記ジョイント・フィードバック集合は、同様なアップリンクサブフレームでフィードバック・情報を伝送するダウンリンクサブフレーム集合である。
【００６７】
好ましくは、前記伝送ユニットは、前記ジョイント・フィードバック集合において、物理ダウンリンク共有チャネル（ＰＤＳＣＨ）をスケジューリングして伝送するためのDCIまたは、フィードバック・情報を応答するためのDCIにジョイント・カウンター情報を設定し、前記ジョイント・カウンター情報は、前記DCIの送信順番を示し、こうして、前記ＵＥは、前記ジョイント・カウンター情報に基づいて、ＰＤＳＣＨまたはDCIに対応するフィードバック・情報の、フィードバック・情報シーケンスにおけるビット位置を決める。
【００６８】
好ましくは、前記伝送ユニットは、前記フィードバック・情報シーケンス長さを示す指示情報を前記ＵＥに送信た後、前記ＵＥが応答したフィードバック・情報シーケンスを受信する。ここで、当該フィードバック・情報シーケンスは、前記ＵＥが前記フィードバック・情報シーケンスを搭載でき、かつ最小容量の物理アップリンク制御チャネル（PUＣＣH）フォーマットを利用して、前記伝送ユニットに送信したものである。
以上の各ユニットは、プロセッサなどのエンティティ装置により実現することができる。
【００６９】
図７に示すように、ＵＥ側において、本発明に係る実施例が提供する第１のフィードバック・情報の送信装置は、プロセッサ６００と、送受信機６１０とを備える。
前記プロセッサ６００は、メモリ６２０に格納されたプログラムを読み出し、
送受信機６１０がネットワーク側からのフィードバック・情報シーケンス長さを示す指示情報を受信するように制御し、
前記指示情報が示したフィードバック・情報シーケンス長さに基づき、フィードバック・情報シーケンスを決め、
送受信機６１０を制御して、決めた前記フィードバック・情報シーケンスを、前記ネットワーク側に送信する。
【００７０】
好ましくは、前記プロセッサ６００は、送受信機６１０を制御して、前記フィードバック・情報シーケンスを搭載でき、かつ最小容量の物理アップリンク制御チャネル（PUＣＣH）フォーマットを利用し、決めた前記フィードバック・情報シーケンスを、前記ネットワーク側に送信する。
【００７１】
好ましくは、前記プロセッサ６００は、送受信機６１０を制御して、前記ＵＥが、ネットワーク側からのフィードバック・情報シーケンス長さを示す指示情報を受信する前、
【００７２】
0006630740.tif 000015
【００７３】
好ましくは、前記指示情報は、ダウンリンク制御情報（DCI）である。
【００７４】
好ましくは、当前記プロセッサ６００が、送受信機６１０を制御して、ジョイント・フィードバック集合により複数のDCIを受信する場合、それぞれのDCIは同様なフィードバック・情報シーケンス長さを示し、其中，前記ジョイント・フィードバック集合は、同様なアップリンクサブフレームでフィードバック・情報を伝送するダウンリンクサブフレーム集合である。
【００７５】
好ましくは、前記プロセッサ６００は、
前記ジョイント・フィードバック集合において、物理ダウンリンク共有チャネル（ＰＤＳＣＨ）をスケジューリングして伝送するためのDCIまたはフィードバック・情報を応答するためのDCIから、ジョイント・カウンター情報を取得し、前記ジョイント・カウンター情報は、前記DCIの受信順番を示し、
前記ジョイント・カウンター情報に基づき、ＰＤＳＣＨまたはDCIに対応するフィードバック・情報の、フィードバック・情報シーケンスにおけるビット位置を決め、前記指示情報が示したフィードバック・情報シーケンス長さ及び前記ビット位置に基づき、フィードバック・情報シーケンスを決める。送受信機６１０は、プロセッサ６００の制御のしたでデータを送受信する。
【００７６】
図７において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【００７７】
データプロセッサ６００は、バスアーキテクチャ及び通常の処理を監視し、メモリ６２０は、プロセッサ６００が動作する際に利用するデータを記憶することができる。
【００７８】
図８に示すように、ネットワーク側において、本発明に係る実施例が提供する第１のフィードバック・情報の送信制御装置は、プロセッサ５００と、メモリ５２０と、送受信機５１０とを備える。
前記プロセッサ５００は、メモリ５２０に格納されたプログラムを読み出し、
ＵＥに示してあげるべきフィードバック・情報シーケンス長さを決め、
送受信機５１０が前記フィードバック・情報シーケンス長さを示す指示情報を前記ＵＥに送信するように制御する。
【００７９】
0006630740.tif 000016
【００８０】
前記プロセッサ５００は、前記フィードバック・情報シーケンス長さの集合から１つのフィードバック・情報シーケンス長さを選出して、前記ＵＥに示してあげるべきフィードバック・情報シーケンス長さとする。
【００８１】
好ましくは、前記指示情報は、ダウンリンク制御情報（DCI）である。
【００８２】
好ましくは、前記プロセッサ５００は、送受信機５１０を制御して、ジョイント・フィードバック集合により複数のDCIを前記ＵＥに送信し、それぞれのDCIは同様なフィードバック・情報シーケンス長さを示し、ここで、前記ジョイント・フィードバック集合は、同様なアップリンクサブフレームでフィードバック・情報を伝送するダウンリンクサブフレーム集合である。
【００８３】
好ましくは、前記プロセッサ５００は、前記ジョイント・フィードバック集合において、物理ダウンリンク共有チャネル（ＰＤＳＣＨ）をスケジューリングして伝送するためのDCIまたは、フィードバック・情報を応答するためのDCIにジョイント・カウンター情報を設定し、前記ジョイント・カウンター情報は、前記DCIの送信順番を示し、こうして、前記ＵＥは、前記ジョイント・カウンター情報に基づいて、ＰＤＳＣＨまたはDCIに対応するフィードバック・情報の、フィードバック・情報シーケンスにおけるビット位置を決める。
【００８４】
好ましくは、前記プロセッサ５００は、送受信機５１０を制御して、前記フィードバック・情報シーケンス長さを示す指示情報を前記ＵＥに送信た後、
【００８５】
制御送受信機５１０は、前記ＵＥが応答したフィードバック・情報シーケンスを受信し、当該フィードバック・情報シーケンスは、前記ＵＥが前記フィードバック・情報シーケンスを搭載でき、かつ最小容量の物理アップリンク制御チャネル（PUＣＣH）フォーマットを利用して、前記送受信機５１０に送信したものである。
送受信機５１０は、プロセッサ５００の制御のしたでデータを送受信する。
【００８６】
図８において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャ及び通常の処理を監視し、メモリ５２０は、プロセッサ５００が動作する際に利用するデータを記憶することができる。
【００８７】
以上より、本発明に係る実施形態において、半静的にフィードバック・情報シーケンス長さの集合を配置し、ＤＣＩを使用して動的に該集合中の一つの値を指示し、ユーザがその値に基づいて一つのアップリングサブフレーム内における伝送ＡＣＫ／ＮＡＣＫフィードバック・情報シーケンス長さを確定し、フィードバック・情報シーケンス中の冗長な情報を著しく低減することができる。
【００８８】
本領域の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【００８９】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【００９０】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【００９１】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【００９２】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【００９３】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【００９４】
本出願は、２０１５年４月１日に中国特許局に提出し、出願番号が２０１５１０１５３０４７.６であり、発明名称が「フィードバック・情報の送信及びその制御方法及び装置」との中国特許出願を基礎とする優先権を主張し、その開示の総てをここに取り込む。
【図１】
0006630740.tif 000049
【図２】
0006630740.tif 000050
【図３】
0006630740.tif 000051
【図４】
0006630740.tif 000052
【図５】
0006630740.tif 000053
【図６】
0006630740.tif 000054
【図７】
0006630740.tif 000055
【図８】
0006630740.tif 000056